(57)【要約】      （修正有）【課題】収納状態のサイズを減少して、収納と輸送に便利な収納しやすいソファーを提供する。【解決手段】ブラケットと、ブラケットに取り付けられた支持部品を含み、ブラケットは、対向して設けられた２つのアームレストフレーム１と、アームレストフレーム間に架橋された架橋ロッド２を含み、架橋ロッドは、複数の直線的に着脱可能なユニットロッドを含み、隣接するユニットロッドの端部が嵌合・並継されファスナーによってねじ止まれてロックされ、ユニットロッドは、直線的な架橋ロッドを接続した組込状態と、分割および積み重ねの収納状態の間で切り替えることができる。架橋ロッドを着脱可能な構造に変更することで、架橋ロッドの収納時複数の積み重ね可能なユニットロッドに分割され、着脱しやすく、着脱作業負荷を過度に増加させることなく、ソファー収納後のサイズを効果的に小さくし、輸送や収納の便利性を向上させる。【選択図】図１
0003231481.tif 000002
【実用新案登録請求の範囲】
【請求項１】
ブラケットとブラケットに取り付けられたの支持部品で構成される収納しやすいソファーであって、前記ブラケットは、対向して設けられた２つのアームレストフレーム（１）と、アームレストフレーム（１）同士間に架橋された架橋ロッド（２）を含み、前記架橋ロッド（２）は複数の直線的に着脱可能なユニットロッド（３）を含み、隣接するユニットロッド（３）の端部が嵌合・並継されファスナーによってねじ止まれてロックされ、ユニットロッド（３）は、並継して直線的な架橋ロッド（２）を形成した組込状態と分割および積み重ねの収納状態の間で切り替えることができることを特徴とする収納しやすいソファー。
【請求項２】
隣接ユニットロッド（３）間がスリーブ部品によって固定的に接続され、前記スリーブ構造は、隣接するユニットロッド（３）の対応端部に別個に配置されたスリーブ開口（４）と縮径セクション（５）を含み、スリーブ開口（４）が縮径セクション（５）に嵌設されてファスナーによってねじ止まれてロックされることを特徴とする請求項１に記載の収納しやすいソファー。
【請求項３】
前記スリーブ構造はＵ字形のクリップ（７）を含み、所定の位置に取り付けられた後、Ｕ字形のクリップ（７）が隣接するユニットロッド（３）の並継セクションに嵌設されクランプされ、ファスナーによって対応のユニットロッド（３）にねじ止まれてロックされることを特徴とする請求項２に記載の収納しやすいソファー。
【請求項４】
前記Ｕ字形のクリップ（７）の両端部にそれぞれ第１の接続穴（６）と第２の接続穴（８）が設けられ、隣接するユニットロッド（３）の対応端部にそれぞれ第１の取付穴（９）と第２の取付穴（１０）が設けられ、所定の位置に取り付けられた後、ファスナーがそれぞれ第１の接続穴（６）と第２の接続穴（８）を貫通して第１の取付穴（９）と第２の取付穴（１０）内にねじ止まれてロックされることを特徴とする請求項３に記載の収納しやすいソファー。
【請求項５】
スリーブ開口（４）が縮径セクション（５）に嵌設されると、第１の接続穴（６）と第２の接続穴（８）間の距離が第１の取付穴（９）と第２の取付穴（１０）間の距離と同じであることを特徴とする請求項４に記載の収納しやすいソファー。
【請求項６】
第１の取付穴（９）と第２の取付穴（１０）の軸方向投影が前記スリーブ開口（４）と縮径セクション（５）に対して互いにずれて配置されることを特徴とする請求項４に記載の収納しやすいソファー。
【請求項７】
前記Ｕ字形のクリップ（７）の端部は、縮径セクション（５）が設けられたユニットロッド（３）に溶接されて固定されることを特徴とする請求項３に記載の収納しやすいソファー。
【請求項８】
前記ユニットロッド（３）の断面輪郭が平口状であり、所定の位置に挿入された後、隣接するユニットロッド（３）間に周方向の回転が制限され、または、前記Ｕ字形のクリップ（７）の断面輪郭が平口状であり、所定の位置にクランプされた後、Ｕ字形のクリップ（７）と対応のユニットロッド（３）間に周方向の回転が制限されることを特徴とする請求項１に記載の収納しやすいソファー。
【請求項９】
前記架橋ロッド（２）の両端部に、アームレストフレーム（１）に固定的に接続された接続部品が設けられ、前記接続部品は、アームレストフレーム（１）に開設された貫通穴（１１）と架橋ロッド（２）の端部に設けられたねじ穴を含み、所定の位置に取り付けられた後、ファスナーが貫通穴（１１）を貫通して前記ねじ穴にねじ止まれてロックされることを特徴とする請求項１から８のいずれか１項に記載の収納しやすいソファー。
【請求項１０】
前記アームレストフレーム（１）は、着脱可能な上棚と下棚を含むことを特徴とする請求項９に記載の収納しやすいソファー。
【考案の詳細な説明】
【技術分野】
【０００１】
本実用新案は、家具の分野に属し、具体的にはソファーに関する。
【背景技術】
【０００２】
輸送と収納を容易にするために、従来の着脱可能なソファーのブラケットは通常、対向して設けられた２つのアームレストフレームと、アームレストフレーム間に架橋された架橋ロッドと、アームレストフレームおよび架橋ロッドに設けられた支持部品によって組み立てられる。ソファーの幅が対象人数の増加に応じて拡大し、架橋ロッドの長さも増加する必要があるため、ソファー着脱後の収納構造サイズが大きく、収納と輸送の便利性に影響を与える。
【考案の概要】
【考案が解決しようとする課題】
【０００３】
従来技術の欠点を解決するために、本実用新案は、架橋ロッドを着脱可能な構造とし、架橋ロッドの収納後の長さを効果的に短縮し、それによりソファーの収納状態のサイズを減少して、収納と輸送に便利である収納しやすいソファーを提供する。
【課題を解決するための手段】
【０００４】
本実用新案は、以下の通り実現される。収納しやすいソファーは、ブラケットと、ブラケットに取り付けられた支持部品を含み、前記ブラケットは、対向して設けられた２つのアームレストフレームと、アームレストフレーム間に架橋された架橋ロッドを含み、前記架橋ロッドは、複数の直線的に着脱可能なユニットロッドを含み、隣接するユニットロッドの端部が嵌合・並継されファスナーによってねじ止まれてロックされ、ユニットロッドは、接続して直線的な架橋ロッドを形成した組込状態と、分割および積み重ねの収納状態間で切り替えることができる。架橋ロッドを従来の一体式構造から着脱可能な構造に変更することで、架橋ロッドの収納時複数の積み重ね収納ユニットロッドに分割され、着脱しやすく、着脱作業負荷を過度に増加させることなく、ソファー収納後のサイズを効果的に小さくし、輸送や収納の便利性を向上させる。
【０００５】
好ましくは、隣接するユニットロッド間がスリーブ部品によって固定的に接続され、前記スリーブ構造は、隣接するユニットロッドの対応端部に別個に配置されたスリーブ開口と縮径セクションを含み、スリーブ開口が縮径セクションに嵌設されてファスナーによってねじ止まれてロックされる。スリーブ開口が縮径セクションにしっかりと嵌設されファスナーによって固定的に接続され、スリーブ開口の内側壁は、縮径セクションの外側壁に密着しており、ユニットロッドの直線的な接続を確保し、隣接するユニットロッド間の曲げ防止性能も向上し、架橋ロッドの支持安定性が向上する。
【０００６】
好ましくは、前記スリーブ構造はＵ字形のクリップを含み、所定の位置に取り付けられた後、Ｕ字形のクリップが隣接するユニットロッドの並継セクションに嵌設されてクランプされ、ファスナーによって対応のユニットロッドにねじ止まれてロックされる。Ｕ字形のクリップは並継されたユニットロッドに対して曲げ防止作用をさらに果たし、隣接するユニットロッドの端部間の曲げを防止し、架橋ロッドの中部がユーザの体重を安定して受け、端部を介してアームレストフレームに伝達でき、ソファーの支持安定性を確保する。
【０００７】
好ましくは、前記Ｕ字形のクリップの両端部にそれぞれ第１の接続穴と第２の接続穴が設けられ、隣接するユニットロッドの対応端部にそれぞれ第１の取付穴と第２の取付穴が設けられ、所定の位置に取り付けられた後、ファスナーがそれぞれ第１の接続穴と第２の接続穴を貫通した後、第１の取付穴と第２の取付穴内にねじ止まれてロックされる。Ｕ字形のクリップの両端がファスナーによって対応のユニットロッドに固定的に接続され、スリーブ開口と縮径セクションのはずれ、およびＵ字形のクリップと対応のユニットロッドのはずれを効果的に防止し、隣接するユニットロッド間の接続強度および変形抵抗性能を向上させる。Ｕ字形のクリップの頂部に開口が設けられ、ユニットロッドが上から下へＵ字形のクリップに挿入され、着脱に便利である。Ｕ字形のクリップ自身は良好な曲げ防止性能を備える。
【０００８】
好ましくは、スリーブ開口が縮径セクション上に嵌設されると、第１の接続穴と第２の接続穴間の距離が、第１の取付穴と第２の取付穴間の距離と同じである。Ｕ字形のクリップは、それぞれ第１の接続穴と第２の接続穴のファスナーを貫通して対応の第１の取付穴と第２の取付穴内にねじ込まれ、スリーブ開口が縮径セクションにしっかりと嵌設され、スリーブ開口と縮径セクション間、ユニットロッドとＵ字形のクリップ間で大きい接触面積を確保し、変形抵抗性能を向上させる。
【０００９】
好ましくは、第１の取付穴と第２の取付穴の軸方向投影は、前記スリーブ開口と縮径セクションに対して互いにずれて配置され、並継されたスリーブ開口と縮径セクションが第１の接続穴と第２の接続穴を貫通してそれぞれ第１の取付穴と第２の取付穴にねじ込まれるねじを妨げることを避けて、スムーズな組込を確保する。
【００１０】
好ましくは、前記Ｕ字形のクリップの端部は、縮径セクションが設けられたユニットロッド間に溶接されて固定される。Ｕ字形のクリップ端部がユニットロッド間に溶接されて固定されるため、Ｕ字形のクリップとユニットロッドの強固な接続を確保し、Ｕ字形のクリップがユニットロッドに対して回転するのを防ぎ、接続安定性を向上させる。
【００１１】
好ましくは、前記ユニットロッドの断面輪郭は平口状であり、所定の位置に挿入された後、隣接するユニットロッド間の周方向の回転が制限され、前記スリーブ開口、縮径セクションの断面輪郭も平口状であり、並継着脱に便利であり、隣接するユニットロッド間の回転を効果的に防止し、接続安定性を向上させる。
【００１２】
好ましくは、前記Ｕ字形のクリップの断面輪郭は平口状であり、所定の位置にクランプされた後、Ｕ字形のクリップと対応のユニットロッド間の周方向の回転が制限される。Ｕ字形のクリップは隣接するユニットロッドの並継セクションにしっかりと嵌設され、接触面積の増加によって変形抵抗性能を向上させる。
【００１３】
好ましくは、前記架橋ロッドの両端部に、アームレストフレームに固定的に接続された接続部品が設けられ、前記接続部品は、アームレストフレームに開設された貫通穴と、架橋ロッド端部に設けられたねじ穴を含み、所定の位置に取り付けられた後、ファスナーは貫通穴を貫通して前記ねじ穴にねじ止まれてロックされる。架橋ロッドの端部が対応のアームレストフレームに固定的に接続されるため、アームレストフレームに対して制限・固定的な接続作用を果たし、ソファーブラケットの支持性能を確保し、ひいては架橋ロッドがユーザを安定して支持できるのを確保する。
【００１４】
好ましくは、前記アームレストフレームは、着脱可能な上棚と下棚を含む。アームレストフレームを取り外して積み重ねて収納できる上棚と下棚を得て、収納サイズを効果的に小さくし、輸送と収納が容易になる。
【考案の効果】
【００１５】
本実用新案の有益な効果は以下の通りである。架橋ロッドを従来の一体式構造から着脱可能な構造に変更することで、架橋ロッドの収納時複数の積み重ねて収納できるユニットロッドに分割され、着脱しやすく、着脱作業負荷を過度に増加させることなく、ソファー収納後のサイズを効果的に小さくし、輸送や収納の便利性を向上させる。
【図面の簡単な説明】
【００１６】
【図１】本実用新案の分解構造概略図である。
【図２】架橋ロッドの分解構造概略図である。
【図３】Ｕ字形のクリップ構造概略図である。
【図４】Ｕ字形のクリップと、縮径セクション付きのユニットロッドの組込構造概略図である。
【考案を実施するための形態】
【００１７】
以下、図面と実施の形態により本実用新案の実質的な特性についてさらに説明する。
【００１８】
図１に示す収納しやすいソファーは、ブラケットと、ブラケットに取り付けられた支持部品を含み、前記ブラケットは、対向して設けられた２つのアームレストフレーム１と、アームレストフレーム１間に架橋された架橋ロッド２を含み、前記架橋ロッド２は、複数の直線的に着脱可能なユニットロッド３を含み、隣接するユニットロッド３の端部が嵌合・並継されファスナーによってねじ止まれてロックされ，、ユニットロッド３は、並継して直線的な架橋ロッド２を形成した組込状態と、分割および積み重ねの収納状態間で切り替えることができる。架橋ロッド２を従来の一体式構造から着脱可能な構造に変更することで、架橋ロッド２の収納時複数の積み重ねて収納できるユニットロッド３に分割され、着脱しやすく、着脱作業負荷を過度に増加させることなく、ソファー収納後のサイズを効果的に小さくし、輸送や収納の便利性を向上させる。
【００１９】
実際に操作する場合、前記Ｕ字形のクリップ７に第３の接続穴１２（図２に示す）が設けられ、前記スリーブ開口４に第３の外部穴１３が設けられ、前記縮径セクション５に第３の内置穴１４が設けられ、取付時、以下のステップによって架橋ロッド２の組込を行う。
【００２０】
まず、Ｕ字形のクリップ７の第１の端部を、縮径セクション５が設けられたユニットロッド３に嵌設させ、第１の取付穴９と第１の接続穴６を軸方向に合わせ、第３の内部穴と第３の接続穴を軸方向に合わせ、
次に、第１の接続穴６を貫通したファスナーによって第１の取付穴９内にねじ止まれてロックされ、Ｕ字形のクリップ７の第１の端部縁部に沿って異なる直線上の少なくとも２本の溶接ビードを溶接し、Ｕ字形のクリップ７の第１の端部が対応のユニットロッド３に固定的に接続され、
その後、他方のユニットロッド３をその縮径セクション５の軸線方向に沿ってＵ字形のクリップ７の第２の端部に挿入し、第２の取付穴１０と第２の接続穴８を軸方向に合わせ、第３の外部穴と、第３の接続穴および第３の内部穴を軸方向に合わせ、
最後に、第２の接続穴８を貫通したファスナーによって第２の取付穴１０内にねじ止まれてロックされ、第３の接続穴と第３の外部穴を順次貫通したファスナーによって第３の内部穴にねじ止まれてロックされる。
【００２１】
上記のステップによって、隣接するユニットロッド３が固定的に接続される。組込が完了した後、前記Ｕ字形のクリップ７の両端がそれぞれ対応のユニットロッド３およびスリーブ開口４にしっかりと嵌設され、スリーブ開口４が縮径セクション５にしっかりと嵌設され、Ｕ字形のクリップ７とユニットロッド３間、スリーブ開口４と縮径セクション５間の隙間を小さくして接触面積を増加させることで、隣接するユニットロッド３の並継部間の変形抵抗性能、架橋ロッド２の中部と端部間の作用力伝達効率を向上させ、架橋ロッド２の中部の受力による変形幅を減少することでソファーの支持性能を向上し、使用体験を改善する。
【００２２】
実際に操作する場合、隣接するユニットロッド３間がスリーブ部品によって固定的に接続され、前記スリーブ構造は、隣接するユニットロッド３の対応端部に別個に配置されたスリーブ開口４と縮径セクション５を含み、スリーブ開口４が縮径セクション５に嵌設されてファスナーによってねじ止まれてロックされる。ユニットロッド３は中空管であり、ユニットロッド３の一端が中空で同じ直径のスリーブ開口４が形成され、スリーブ開口４の断面の外縁輪郭のサイズがユニットロッド３の外側壁のサイズと一致し、内縁輪郭のサイズが縮径セクション５の外縁輪郭のサイズと一致し、所定の位置に取り付けられた後、スリーブ開口４がＵ字形のクリップ７と縮径セクション５間にクランプにしっかりとクランプされ、並継セクションの重ね数と重ね厚さを増やすことで曲げ防止性能を向上させる。
【００２３】
実際に操作する場合、前記スリーブ構造は、Ｕ字形のクリップ７（図３に示す）を含み、所定の位置に取り付けられた後、Ｕ字形のクリップ７が隣接するユニットロッド３の並継セクションに嵌設されてクランプされ、ファスナーによって対応のユニットロッド３にねじ止まれてロックされる。Ｕ字形のクリップ７の内側壁輪郭がユニットロッド３外側壁の輪郭と一致し、両者間の接触面積を効果的に増加し、ユニットロッド３に対して周方向の回転を制限し、隣接するユニットロッド３間に相対的に回転するのを防止する。
【００２４】
実際に操作する場合、前記Ｕ字形のクリップ７の両端部にそれぞれ第１の接続穴６と第２の接続穴８が設けられ、隣接するユニットロッド３の対応端部にそれぞれ第１の取付穴９と第２の取付穴１０が設けられ、所定の位置に取り付けられた後、ファスナーはそれぞれ第１の接続穴６と第２の接続穴８を貫通した後、第１の取付穴９と第２の取付穴１０内にねじ止まれてロックされる。前記Ｕ字形のクリップ７の両側壁にそれぞれ前記第１の接続穴６、第２の接続穴８、第３の接続穴が開設され、前記第１の取付穴９、第２の取付穴１０、第３の内部穴および第３の外部穴がすべて貫通して設けられ、Ｕ字形のクリップ７の取付形態を限定することなく、組込効率を向上させる。
【００２５】
実際に操作する場合、スリーブ開口４が縮径セクション５に嵌設されると、第１の接続穴６と第２の接続穴８間の距離が、第１の取付穴９と第２の取付穴１０間の距離が同じである。前記縮径セクション５とユニットロッド３間に環形の段差面が設けられ、所定の位置に取り付けられた後、隣接するユニットロッド３が、第１の接続穴６と第２の接続穴８を貫通するファスナーによってロックされ、スリーブ開口４が常に段差面に当接するのを確保し、スリーブ開口４と縮径セクション５の回転を制限する。
【００２６】
実際に操作する場合、第１の取付穴９と第２の取付穴１０の軸方向投影が、前記スリーブ開口４と縮径セクション５に対して互いにずれて配置される。所定の位置に取り付けられた後、前記縮径セクション５が、第１の取付穴９と第２の取付穴１０を覆うこのなくスリーブ開口４に挿入され、ファスナーのスムーズなねじ込みを確保する。第１の取付穴９が対応のユニットロッド３のスリーブ開口４に近いセクションに開設され、第２の取付穴１０が対応のユニットロッド３の縮径セクション５に近いセクションに開設される。
【００２７】
実際に操作する場合、前記Ｕ字形のクリップ７の端部が、縮径セクション５が設けられたユニットロッド３間に溶接されて固定される。Ｕ字形のクリップ７の両側壁の端縁がすべて縮径セクション５付きのユニットロッド３に溶接によって固定的に接続され、このように、Ｕ字形のクリップ７と縮径セクション５間に、スリーブ開口４が挿入するための空間（図４に示す）を形成する。
【００２８】
実際に操作する場合、前記ユニットロッド３の断面輪郭が平口状であり、所定の位置に挿入された後、隣接するユニットロッド３間の周方向の回転が制限され、前記Ｕ字形のクリップ７の断面輪郭が平口状であり、所定の位置にクランプされた後、Ｕ字形のクリップ７と対応のユニットロッド３間の周方向の回転が制限される。前記ユニットロッド３の断面輪郭は、扁平円形状、ウエスト形状などであってもよく、これらは本実用新案の具体的な実施例と見なされるべきである。
【００２９】
実際に操作する場合、前記架橋ロッド２の両端部に、アームレストフレーム１に固定的に接続された接続部品が設けられ、前記接続部品は、アームレストフレーム１上に設けられた貫通穴１１と、架橋ロッド２端部に設けあっれたねじ穴を含み、所定の位置に取り付けられた後、ファスナーが貫通穴１１を貫通して前記ねじ穴にねじ止まれてロックされる。前記アームレストフレーム１は、着脱可能な上棚と下棚を含む。アームレストフレーム１は互いに平行に対向して架橋ロッド２両端に設けられる。前記架橋ロッド２は少なくとも３本であり、前記支持部品は、アームレストカバー、シートクッション、およびバックレストを含み、シートクッションとバックレストが対応の架橋ロッド２間に取り付けられ、前記アームレストカバーがアームレストフレーム１に嵌設され、架橋ロッド２とアームレストフレーム１を隠すことで外観を向上させる。
【符号の説明】
【００３０】
１      アームレストフレーム
２      架橋ロッド
３      ユニットロッド
４      スリーブ開口
５      縮径セクション
６      第１の接続穴
７      Ｕ字形のクリップ
８      第２の接続穴
９      第１の取付穴
１０    第２の取付穴
１１    貫通穴
１２    第３の接続穴
１３    第３の外置穴
１４    第３の内置穴
【図１】
0003231481.tif 000003
【図２】
0003231481.tif 000004
【図３】
0003231481.tif 000005
【図４】
0003231481.tif 000006
【手続補正書】
【提出日】令和3年1月26日(2021.1.26)
【手続補正１】
【補正対象書類名】実用新案登録請求の範囲
【補正対象項目名】全文
【補正方法】変更
【補正の内容】
【実用新案登録請求の範囲】
【請求項１】
ブラケットとブラケットに取り付けられたの支持部品で構成される収納しやすいソファーであって、前記ブラケットは、対向して設けられた２つのアームレストフレーム（１）と、アームレストフレーム（１）同士間に架橋された架橋ロッド（２）を含み、前記架橋ロッド（２）は複数の直線的に着脱可能なユニットロッド（３）を含み、隣接するユニットロッド（３）の端部が嵌合・並継されファスナーによってねじ止まれてロックされ、ユニットロッド（３）は、並継して直線的な架橋ロッド（２）を形成した組込状態と分割および積み重ねの収納状態の間で切り替えることができることを特徴とする収納しやすいソファー。
【請求項２】
隣接ユニットロッド（３）間がスリーブ構造によって固定的に接続され、
前記スリーブ構造は、隣接するユニットロッド（３）の対応端部に別個に配置されたスリーブ開口（４）と縮径セクション（５）を含み、スリーブ開口（４）が縮径セクション（５）に嵌設されてファスナーによってねじ止まれてロックされることを特徴とする請求項１に記載の収納しやすいソファー。
【請求項３】
前記スリーブ構造はＵ字形のクリップ（７）を含み、所定の位置に取り付けられた後、Ｕ字形のクリップ（７）が隣接するユニットロッド（３）の並継セクションに嵌設されクランプされ、ファスナーによって対応のユニットロッド（３）にねじ止まれてロックされることを特徴とする請求項２に記載の収納しやすいソファー。
【請求項４】
前記Ｕ字形のクリップ（７）の両端部にそれぞれ第１の接続穴（６）と第２の接続穴（８）が設けられ、隣接するユニットロッド（３）の対応端部にそれぞれ第１の取付穴（９）と第２の取付穴（１０）が設けられ、所定の位置に取り付けられた後、ファスナーがそれぞれ第１の接続穴（６）と第２の接続穴（８）を貫通して第１の取付穴（９）と第２の取付穴（１０）内にねじ止まれてロックされることを特徴とする請求項３に記載の収納しやすいソファー。
【請求項５】
スリーブ開口（４）が縮径セクション（５）に嵌設されると、第１の接続穴（６）と第２の接続穴（８）間の距離が第１の取付穴（９）と第２の取付穴（１０）間の距離と同じであることを特徴とする請求項４に記載の収納しやすいソファー。
【請求項６】
第１の取付穴（９）と第２の取付穴（１０）の軸方向投影が前記スリーブ開口（４）と縮径セクション（５）に対して互いにずれて配置されることを特徴とする請求項４に記載の収納しやすいソファー。
【請求項７】
前記Ｕ字形のクリップ（７）の端部は、縮径セクション（５）が設けられたユニットロッド（３）に溶接されて固定されることを特徴とする請求項３に記載の収納しやすいソファー。
【請求項８】
前記ユニットロッド（３）の断面輪郭が平口状であり、所定の位置に挿入された後、隣接するユニットロッド（３）間に周方向の回転が制限され、または、前記Ｕ字形のクリップ（７）の断面輪郭が平口状であり、所定の位置にクランプされた後、Ｕ字形のクリップ（７）と対応のユニットロッド（３）間に周方向の回転が制限されることを特徴とする請求項３に記載の収納しやすいソファー。
【請求項９】
前記架橋ロッド（２）の両端部に、アームレストフレーム（１）に固定的に接続された接続部品が設けられ、前記接続部品は、アームレストフレーム（１）に開設された貫通穴（１１）と架橋ロッド（２）の端部に設けられたねじ穴を含み、所定の位置に取り付けられた後、ファスナーが貫通穴（１１）を貫通して前記ねじ穴にねじ止まれてロックされることを特徴とする請求項１から８のいずれか１項に記載の収納しやすいソファー。
【請求項１０】
前記アームレストフレーム（１）は、着脱可能な上棚と下棚を含むことを特徴とする請求項９に記載の収納しやすいソファー。
【手続補正２】
【補正対象書類名】明細書
【補正対象項目名】０００５
【補正方法】変更
【補正の内容】
【０００５】
好ましくは、隣接するユニットロッド間がスリーブ構造によって固定的に接続され、前記スリーブ構造は、隣接するユニットロッドの対応端部に別個に配置されたスリーブ開口と縮径セクションを含み、スリーブ開口が縮径セクションに嵌設されてファスナーによってねじ止まれてロックされる。スリーブ開口が縮径セクションにしっかりと嵌設されファスナーによって固定的に接続され、スリーブ開口の内側壁は、縮径セクションの外側壁に密着しており、ユニットロッドの直線的な接続を確保し、隣接するユニットロッド間の曲げ防止性能も向上し、架橋ロッドの支持安定性が向上する。
【手続補正３】
【補正対象書類名】明細書
【補正対象項目名】００２２
【補正方法】変更
【補正の内容】
【００２２】
実際に操作する場合、隣接するユニットロッド３間がスリーブ構造によって固定的に接続され、前記スリーブ構造は、隣接するユニットロッド３の対応端部に別個に配置されたスリーブ開口４と縮径セクション５を含み、スリーブ開口４が縮径セクション５に嵌設されてファスナーによってねじ止まれてロックされる。ユニットロッド３は中空管であり、ユニットロッド３の一端が中空で同じ直径のスリーブ開口４が形成され、スリーブ開口４の断面の外縁輪郭のサイズがユニットロッド３の外側壁のサイズと一致し、内縁輪郭のサイズが縮径セクション５の外縁輪郭のサイズと一致し、所定の位置に取り付けられた後、スリーブ開口４がＵ字形のクリップ７と縮径セクション５間にクランプにしっかりとクランプされ、並継セクションの重ね数と重ね厚さを増やすことで曲げ防止性能を向上させる。